(57)【要約】【課題】オブジェクトが追加表示される画面内に適正量の余白を自動で確保することができる表示制御装置およびプログラム、余白作成方法を提供する。【解決手段】  所定の表示装置が表示する画面に、新たなオブジェクトを追加して表示させていく。そして、所定の表示装置がすでに表示しているオブジェクトのサイズと配置のうち、少なくとも一方を変更することで、それまでのオブジェクトの追加状況の履歴に応じた量の新たな余白を該画面内に作成する。【選択図】図５
2015097054.tif 000002
【特許請求の範囲】
【請求項１】
新たなオブジェクトの表示の指示を受ける毎に、所定の表示装置の画面に前記新たなオブジェクトを追加して表示させる表示制御装置であって、
既に表示中のオブジェクトのサイズと配置の少なくとも一方を変更して前記画面内に新たな余白を作成すると共に、前記余白の量を、オブジェクトの追加状況の履歴に基づいて変更する余白作成部を有する
ことを特徴とする表示制御装置。
【請求項２】
前記追加状況の履歴は、直近の過去の所定時間においてオブジェクトが追加された数を含む
ことを特徴とする請求項１に記載の表示制御装置。
【請求項３】
前記追加状況の履歴は、所定のタイミングからの経過時間を含む
ことを特徴とする請求項１または２に記載の表示制御装置。
【請求項４】
前記余白作成部は、前記画面内のオブジェクトの占有率が所定の閾値を超えたとき、前記余白の作成を行う
ことを特徴とする請求項１乃至３のいずれか１つに記載の表示制御装置。
【請求項５】
前記余白作成部は、ユーザから余白の作成指示を受けたとき、前記余白の作成を行う
ことを特徴とする請求項１乃至４のいずれか１つに記載の表示制御装置。
【請求項６】
前記サイズの変更は、オブジェクトの縮小である
ことを特徴とする請求項１乃至５のいずれか１つに記載の表示制御装置。
【請求項７】
前記余白作成部は、前記サイズの変更を行う場合に、表示中のオブジェクトの平均面積を求め、該平均面積より面積が一定以上大きいオブジェクトの縮小率を他のオブジェクトの縮小率より大きくする
ことを特徴とする請求項６に記載の表示制御装置。
【請求項８】
前記配置の変更は、オブジェクト同士の間隔を詰めることとオブジェクト同士を重ねることのうちの少なくとも一方を含む
ことを特徴とする請求項１乃至７のいずれか１つに記載の表示制御装置。
【請求項９】
前記画面の前のユーザの位置を検出するユーザ位置検出部を備え、
前記余白作成部は、前記ユーザ位置検出部が検出した前記ユーザの位置に対応する前記画面内の位置に前記余白を作成する
ことを特徴とする請求項１乃至８のいずれか１つに記載の表示制御装置。
【請求項１０】
前記余白作成部は、前記画面が複数に領域分けされる場合に、前記余白の作成を領域別に行う
ことを特徴とする請求項１乃至９のいずれか１つに記載の表示制御装置。
【請求項１１】
前記余白作成部は、前記画面内のオブジェクトに対してユーザが何らかの操作を行っている間は、前記余白を作成する動作を行わない
ことを特徴とする請求項１乃至１０のいずれか１つに記載の表示制御装置。
【請求項１２】
前記余白作成部は、前記縮小率を、所定の上限値以内に制限する
ことを特徴とする請求項６に記載の表示制御装置。
【請求項１３】
前記余白作成部は、前記配置の変更においてオブジェクト同士を重ねる場合の重なり率を、所定の上限値以内に制限する
ことを特徴とする請求項８に記載の表示制御装置。
【請求項１４】
新たなオブジェクトの表示の指示を受ける毎に、所定の表示装置の画面内に前記新たなオブジェクトを追加して表示させる追加表示ステップと、
既に表示中のオブジェクトのサイズと配置の少なくとも一方を変更して前記画面内に新たな余白を作成すると共に、その作成する余白の量を、オブジェクトの追加状況の履歴に基づいて変更する余白作成ステップと
を有する
ことを特徴とする余白作成方法。
【請求項１５】
前記追加状況の履歴は、直近の過去の所定時間においてオブジェクトが追加された数を含む
ことを特徴とする請求項１４に記載の余白作成方法。
【請求項１６】
前記追加状況の履歴は、所定のタイミングからの経過時間を含む
ことを特徴とする請求項１４または１５に記載の余白作成方法。
【請求項１７】
前記画面内のオブジェクトの占有率が所定の閾値を超えたとき、前記余白作成ステップを行う
ことを特徴とする請求項１４乃至１６のいずれか１つに記載の余白作成方法。
【請求項１８】
ユーザから余白の作成指示を受けたとき、前記余白作成ステップを行う
ことを特徴とする請求項１４乃至１７のいずれか１つに記載の余白作成方法。
【請求項１９】
前記サイズの変更は、オブジェクトの縮小である
ことを特徴とする請求項１４乃至１８のいずれか１つに記載の余白作成方法。
【請求項２０】
前記余白作成ステップでは、前記サイズの変更を行う場合に、表示中のオブジェクトの平均面積を求め、該平均面積より面積が一定以上大きいオブジェクトの縮小率を他のオブジェクトの縮小率より大きくする
ことを特徴とする請求項１９に記載の余白作成方法。
【請求項２１】
前記配置の変更は、オブジェクト同士の間隔を詰めることとオブジェクト同士を重ねることのうちの少なくとも一方を含む
ことを特徴とする請求項１４乃至２０のいずれか１つに記載の余白作成方法。
【請求項２２】
前記画面の前のユーザの位置を検出する検出ステップをさらに有し、
前記余白作成ステップでは、前記検出ステップで検出した前記ユーザの位置に対応する前記画面内の位置に前記余白を作成する
ことを特徴とする請求項１４乃至２１のいずれか１つに記載の余白作成方法。
【請求項２３】
前記余白作成ステップでは、前記画面が複数に領域分けされる場合に、前記余白の作成を領域別に行う
ことを特徴とする請求項１４乃至２２のいずれか１つに記載の余白作成方法。
【請求項２４】
前記余白作成ステップでは、前記画面内のオブジェクトに対してユーザが何らかの操作を行っている間は、前記余白を作成する動作を行わない
ことを特徴とする請求項１４乃至２３のいずれか１つに記載の余白作成方法。
【請求項２５】
前記余白作成ステップでは、前記縮小率を、所定の上限値以内に制限する
ことを特徴とする請求項１９に記載の余白作成方法。
【請求項２６】
前記余白作成ステップでは、前記配置の変更においてオブジェクト同士を重ねる場合の重なり率を、所定の上限値以内に制限する
ことを特徴とする請求項２１に記載の余白作成方法。
【請求項２７】
情報処理装置を、
請求項１乃至１３のいずれか１つに記載の表示制御装置として機能させるためのプログラム。
【発明の詳細な説明】
【技術分野】
【０００１】
本発明は、オブジェクトが追加表示される画面内に新たな余白を作成する表示制御装置およびプログラム、余白作成方法に関する。
【背景技術】
【０００２】
近年、大画面かつ高精細な表示装置が普及してきており、たとえば、オフィスなどでは、このような大画面を備える表示装置に表示された画像や文字を複数人で閲覧しながら会議を行う場合がある。
【０００３】
このような状況においては、会議に参加する各個人の携帯端末から表示装置に画像や手書きメモなどのオブジェクトを転送して表示装置の画面に表示させることが想定される。
【０００４】
しかし、次々にオブジェクトを追加して表示する場合、画面に新たなオブジェクトを表示するための余白が足りなくなることがある。そこで、新たなオブジェクトを表示するための余白を確保する技術が複数開示されている。
【０００５】
たとえば、特許文献１、２には、ユーザから特定の操作を受けた場合に、既出のオブジェクトを縮小したり配置変更したりして、余白を確保する技術が開示されている。
【先行技術文献】
【特許文献】
【０００６】
【特許文献１】特開２０１２−１４６０１７号公報
【特許文献２】特開２００９−１９３３０８号公報
【発明の概要】
【発明が解決しようとする課題】
【０００７】
特許文献１、特許文献２に開示の方法では、余白を生成する処理の開始タイミング、生成する余白の位置や余白の量をユーザが指定するので、手間がかかる。
【０００８】
そこで、余白の量が閾値以下になったら、既出のオブジェクトを一定の縮小率で縮小して新たな余白を自動的に確保する機能が考えられる。しかし、たとえば、アイデア出しの会議などにおいては、短時間のうちに多くのアイデアが提出される時期もあれば、煮詰まってアイデアが出難くなる時期もある。そのため、既出のオブジェクトを縮小して新たな余白を生成する際の縮小率を常に一定の値にすると以下のような不具合が発生する。
【０００９】
図１８は、一定の縮小率を小さい値（たとえば、２０％）とした場合を、図１９は、一定の縮小率を大きい値（たとえば、５０％）とした場合を示している。
【００１０】
図１８のように、縮小率が小さい場合は、縮小により新たに確保された余白は小さいので、オブジェクトが次々に追加されると、直ぐに余白が不足してしまう。一方、時々オブジェクトが追加されるような状況では、縮小により確保した余白は適正量と言える。
【００１１】
図１９のように、縮小率が大きい場合は、縮小により新たに確保された余白は大きいので、オブジェクトが次々に追加されるような状況では、縮小により確保した余白は適正量と言える。しかし、時々オブジェクトが追加されるような状況では、余白は足りているが、縮小率が必要以上に大きいので、オブジェクトが小さくなり過ぎて見難くなってしまう。
【００１２】
本発明は、上記の問題を解決しようとするものであり、オブジェクトが追加表示される画面内に適正量の余白を確保することのできる表示制御装置およびプログラム、余白作成方法を提供することを目的としている。
【課題を解決するための手段】
【００１３】
かかる目的を達成するための本発明の要旨とするところは、次の各項の発明に存する。
【００１４】
［１］新たなオブジェクトの表示の指示を受ける毎に、所定の表示装置の画面に前記新たなオブジェクトを追加して表示させる表示制御装置であって、
既に表示中のオブジェクトのサイズと配置の少なくとも一方を変更して前記画面内に新たな余白を作成すると共に、前記余白の量を、オブジェクトの追加状況の履歴に基づいて変更する余白作成部を有する
ことを特徴とする表示制御装置。
【００１５】
上記発明および下記［１４］に係る発明では、表示制御装置が、所定の表示装置の画面に新たなオブジェクトを追加して表示させる。また、既に表示中のオブジェクトのサイズと配置の少なくとも一方を変更して、オブジェクトの追加状況の履歴に応じた量の余白を作成する。たとえば、オブジェクトが追加される頻度や、該表示装置に最初のオブジェクトを表示させてからの経過時間などによって、作成する余白の量を変更する。これにより、オブジェクトが追加表示される画面内に適正量の余白を確保することができる。
【００１６】
［２］前記追加状況の履歴は、直近の過去の所定時間においてオブジェクトが追加された数を含む
ことを特徴とする［１］に記載の表示制御装置。
【００１７】
上記発明および下記［１５］に係る発明では、直近の過去の所定時間においてオブジェクトが追加された数に応じて、作成する余白の量を変更する。たとえば、直近の所定時間におけるオブジェクトの追加数が多いほど、より多くの余白を作成する。
【００１８】
［３］前記追加状況の履歴は、所定のタイミングからの経過時間を含む
ことを特徴とする［１］または［２］に記載の表示制御装置。
【００１９】
上記発明および下記［１６］に係る発明では、所定のタイミングからの経過時間に応じて、作成する余白の量を変更する。たとえば、一般に、会議においては終盤になるほど新たなアイデアが出難くなるので、会議の開始時（最初のオブジェクトが追加された時点）や、オブジェクトが一定数追加された時などのような所定のタイミングから時間が経過するほど、作成する余白の量を少なくする。
【００２０】
［４］前記余白作成部は、前記画面内のオブジェクトの占有率が所定の閾値を超えたとき、前記余白の作成を行う
ことを特徴とする［１］乃至［３］のいずれか１つに記載の表示制御装置。
【００２１】
上記発明および下記［１７］に係る発明では、画面内のオブジェクトの占有率が所定の閾値を超えたとき、余白の作成を行う。これにより、画面内に余白が少なくなったタイミングで、適正量の新たな余白が作成される。
【００２２】
［５］前記余白作成部は、ユーザから余白の作成指示を受けたとき、前記余白の作成を行う
ことを特徴とする［１］乃至［４］のいずれか１つに記載の表示制御装置。
【００２３】
上記発明および下記［１８］に係る発明では、ユーザの指示を受けた時に新たな余白を作成する。該指示は、余白作成の開始指示であり、どの程度の余白を作成するかは表示制御装置が自動的に判断する。これにより、余白の作成量など、細かな指定を行うことなくユーザの望むタイミングで適正量の余白が作成される。
【００２４】
［６］前記サイズの変更は、オブジェクトの縮小である
ことを特徴とする［１］乃至［５］のいずれか１つに記載の表示制御装置。
【００２５】
上記発明および下記［１９］に係る発明では、オブジェクトを縮小することで、余白を作成する。そして、オブジェクトの追加状況の履歴に基づいて、オブジェクトの縮小率が決定される。
【００２６】
［７］前記余白作成部は、前記サイズの変更を行う場合に、表示中のオブジェクトの平均面積を求め、該平均面積より面積が一定以上大きいオブジェクトの縮小率を他のオブジェクトの縮小率より大きくする
ことを特徴とする［６］に記載の表示制御装置。
【００２７】
上記発明および下記［２０］では、表示中のオブジェクトの平均面積より一定以上大きいオブジェクトの縮小率を他のオブジェクトの縮小率より大きくする。これにより、縮小後におけるオブジェクトのサイズのバラつきを抑えることができる。
【００２８】
［８］前記配置の変更は、オブジェクト同士の間隔を詰めることとオブジェクト同士を重ねることのうちの少なくとも一方を含む
ことを特徴とする［１］乃至［７］のいずれか１つに記載の表示制御装置。
【００２９】
上記発明および下記［２１］では、オブジェクト同士の間隔を詰めて、必要量の余白が確保されるならば、間隔を詰めればよく、間隔を詰めるだけでは必要量の余白を確保できない場合やすでに間隔がなくて間隔を詰めることができないような場合は、オブジェクト同士を少しずつ重ねて余白をつくればよい。
【００３０】
［９］前記画面の前のユーザの位置を検出するユーザ位置検出部を備え、
前記余白作成部は、前記ユーザ位置検出部が検出した前記ユーザの位置に対応する前記画面内の位置に前記余白を作成する
ことを特徴とする［１］乃至［８］のいずれか１つに記載の表示制御装置。
【００３１】
上記発明および下記［２２］では、表示装置の前のユーザの位置を検出し、その検出した位置に対応する画面内の位置に余白を作成する。たとえば、ユーザの前に余白ができれば、新たな書き込みはユーザの前に追加されるので、見易い。また、表示装置の画面がタッチパネルになっており、表示装置の画面にオブジェクトを手書きで追加するような場合、ユーザの前に余白ができれば、追加の書き込みをし易い。
【００３２】
［１０］前記余白作成部は、前記画面が複数に領域分けされる場合に、前記余白の作成を領域別に行う
ことを特徴とする［１］乃至［９］のいずれか１つに記載の表示制御装置。
【００３３】
上記発明および下記［２３］では、たとえば、画面の左半分に第１のテーマについてのオブジェクトが、右半分に第２のテーマについてのオブジェクトが集まっているような場合において、左半分の余白が少なくなってきた場合に、右半分にまだ余白があっても余白の作成が行われる。これにより、画面内の各領域において、オブジェクトを追加する為の余白が確保される。
【００３４】
［１１］前記余白作成部は、前記画面内のオブジェクトに対してユーザが何らかの操作を行っている間は、前記余白を作成する動作を行わない
ことを特徴とする［１］乃至［１０］のいずれか１つに記載の表示制御装置。
【００３５】
上記発明および下記［２４］では、画面内のオブジェクトに対してユーザが何らかの操作を行っている間は、余白を作成する動作を行わない。これにより、余白の作成に伴う画面内容の変更によってユーザによる操作が中断されてしまうといった事態を防ぐことができる。
【００３６】
［１２］前記余白作成部は、前記縮小率を、所定の上限値以内に制限する
ことを特徴とする［６］に記載の表示制御装置。
【００３７】
上記発明および下記［２５］では、縮小率を、所定の上限値以内に制限する。これにより、大幅な縮小によってオブジェクトの視認性が著しく低下するといった事態を防ぐことができる。
【００３８】
［１３］前記余白作成部は、前記配置の変更においてオブジェクト同士を重ねる場合の重なり率を、所定の上限値以内に制限する
ことを特徴とする［８］に記載の表示制御装置。
【００３９】
上記発明および下記［２６］では、オブジェクト同士を重ねる場合にその重なり率を、所定の上限値以内に制限する。これにより、著しい視認性の低下が回避される。
【００４０】
［１４］新たなオブジェクトの表示の指示を受ける毎に、所定の表示装置の画面内に前記新たなオブジェクトを追加して表示させる追加表示ステップと、
既に表示中のオブジェクトのサイズと配置の少なくとも一方を変更して前記画面内に新たな余白を作成すると共に、その作成する余白の量を、オブジェクトの追加状況の履歴に基づいて変更する余白作成ステップと
を有する
ことを特徴とする余白作成方法。
【００４１】
［１５］前記追加状況の履歴は、直近の過去の所定時間においてオブジェクトが追加された数を含む
ことを特徴とする［１４］に記載の余白作成方法。
【００４２】
［１６］前記追加状況の履歴は、所定のタイミングからの経過時間を含む
ことを特徴とする［１４］または［１５］に記載の余白作成方法。
【００４３】
［１７］前記画面内のオブジェクトの占有率が所定の閾値を超えたとき、前記余白作成ステップを行う
ことを特徴とする［１４］乃至［１６］のいずれか１つに記載の余白作成方法。
【００４４】
［１８］ユーザから余白の作成指示を受けたとき、前記余白作成ステップを行う
ことを特徴とする［１４］乃至［１７］のいずれか１つに記載の余白作成方法。
【００４５】
［１９］前記サイズの変更は、オブジェクトの縮小である
ことを特徴とする［１４］乃至［１８］のいずれか１つに記載の余白作成方法。
【００４６】
［２０］前記余白作成ステップでは、前記サイズの変更を行う場合に、表示中のオブジェクトの平均面積を求め、該平均面積より面積が一定以上大きいオブジェクトの縮小率を他のオブジェクトの縮小率より大きくする
ことを特徴とする［１９］に記載の余白作成方法。
【００４７】
［２１］前記配置の変更は、オブジェクト同士の間隔を詰めることとオブジェクト同士を重ねることのうちの少なくとも一方を含む
ことを特徴とする［１４］乃至［２０］のいずれか１つに記載の余白作成方法。
【００４８】
［２２］前記画面の前のユーザの位置を検出する検出ステップをさらに有し、
前記余白作成ステップでは、前記検出ステップで検出した前記ユーザの位置に対応する前記画面内の位置に前記余白を作成する
ことを特徴とする［１４］乃至［２１］のいずれか１つに記載の余白作成方法。
【００４９】
［２３］前記余白作成ステップでは、前記画面が複数に領域分けされる場合に、前記余白の作成を領域別に行う
ことを特徴とする［１４］乃至［２２］のいずれか１つに記載の余白作成方法。
【００５０】
［２４］前記余白作成ステップでは、前記画面内のオブジェクトに対してユーザが何らかの操作を行っている間は、前記余白を作成する動作を行わない
ことを特徴とする［１４］乃至［２３］のいずれか１つに記載の余白作成方法。
【００５１】
［２５］前記余白作成ステップでは、前記縮小率を、所定の上限値以内に制限する
ことを特徴とする［１９］に記載の余白作成方法。
【００５２】
［２６］前記余白作成ステップでは、前記配置の変更においてオブジェクト同士を重ねる場合の重なり率を、所定の上限値以内に制限する
ことを特徴とする［２１］に記載の余白作成方法。
【００５３】
［２７］情報処理装置を、
［１］乃至［１３］のいずれか１つに記載の表示制御装置として機能させるためのプログラム。
【発明の効果】
【００５４】
本発明に係る表示制御装置およびプログラム、余白作成方法によれば、オブジェクトが追加表示される画面内に適正量の余白を自動で確保することができる。
【図面の簡単な説明】
【００５５】
【図１】本発明の実施の形態に係る共有表示装置を含む電子会議システムの構成例を示す説明図である。
【図２】本発明の実施の形態に係る共有表示装置の構成を示すブロック図である。
【図３】本発明の実施の形態に係る携帯端末の構成を示すブロック図である。
【図４】経過時間と新たなオブジェクトが追加された数のグラフを示す説明図である。
【図５】オブジェクトが追加された数によって、確保する余白の量を変更する様子を示す説明図である。
【図６】オブジェクトの縮小を行うとともに、画面内の所定の箇所にオブジェクトを寄せる様子を示す説明図である。
【図７】オブジェクト同士の間隔を詰める様子を示す説明図である。
【図８】画面を複数の領域に分けて使用する場合の様子を示す説明図である。
【図９】共有表示装置の表示部に表示される画面の一例を示す説明図である。
【図１０】図９の画面内の各オブジェクトに係る情報が登録された単位オブジェクト管理表を示す説明図である。
【図１１】図９の画面内の全オブジェクトに係る情報が登録された全オブジェクト管理表を示す説明図である。
【図１２】画面内におけるオブジェクトの占有率によって、余白作成処理を実行する場合の処理を示す流れ図である。
【図１３】ユーザの指示を受けて余白の作成処理を実行する場合の処理を示す流れ図である。
【図１４】経過時間に対する定数Ｂの値が登録されたテーブルを示す説明図である。
【図１５】余白作成パラメータを作成する場合の処理を示す流れ図である。
【図１６】縮小率αと縮小率βの両方を算出して余白作成パラメータを作成する場合の処理を示す流れ図である。
【図１７】余白作成パラメータに従って行う余白作成処理を示す流れ図である。
【図１８】一定の縮小率（小さい値）で、オブジェクトを縮小する場合を示す説明図である。
【図１９】一定の縮小率（大きい値）で、オブジェクトを縮小する場合を示す説明図である。
【発明を実施するための形態】
【００５６】
以下、図面に基づき本発明の実施の形態を説明する。
【００５７】
図１は、本発明に係る表示装置および表示制御装置としての機能を果たす共有表示装置３０を備えた電子会議システム５の構成例を示している。電子会議システム５は、会議参加者各自が使用する携帯端末１０と、会議参加者が共通に閲覧する共有表示装置３０で構成される。
【００５８】
電子会議システム５は、会議参加者が携帯端末１０に入力したメモ書きや画像などのオブジェクトを付箋のように共有表示装置３０に表示したり、共有表示装置３０に表示されている情報を携帯端末１０に取り込んで個人で修正検討したりするなど、会議における情報共有を支援する。なお、本発明の実施の形態では、共有表示装置３０の持つ表示部３１はタッチパネルとなっており、該タッチパネルにて直接、手書き入力を受け付けることも可能である。
【００５９】
共有表示装置３０は、大型の表示領域を持つ表示部３１を備えており、本発明の表示装置、および表示制御装置としての機能を果たす。共有表示装置３０と携帯端末１０との間ではＬＡＮ（Local Area Network）などの無線通信によってデータの送受信が行われる。共有表示装置３０は、新たなオブジェクトの表示の指示を携帯端末１０から受ける毎に、表示部３１に表示中の画面にその新たなオブジェクトを追加して表示する。また、共有表示装置３０は、既に表示中のオブジェクトのサイズと配置の少なくとも一方を変更して該画面内に新たな余白を作成すると共に、作成する余白の量を、オブジェクトの追加状況の履歴に基づいて変更する。なお、共有表示装置３０はプロジェクタなどでもよい。
【００６０】
携帯端末１０は、持ち歩きが可能な小型の端末であり、表示部１１と、タッチパネルを含む操作入力部１２を備えている。携帯端末１０は、手書きメモや画像などのオブジェクトとともに、表示中の画面に該オブジェクトを追加して表示する指示を共有表示装置３０に送信する。
【００６１】
図２は、共有表示装置３０の構成を示すブロック図である。共有表示装置３０は、表示部３１と、操作入力部３２と、通信部３３と、ユーザ位置検知部３４と、外部メモリ接続部３５とを制御部３７に接続して構成される。共有表示装置３０の動作を統括制御する制御部３７は、ＣＰＵ（Central Processing Unit）３８、ＦｌａｓｈＲＯＭ（Read Only Memory）３９、メモリ４０などを主要部として構成される。
【００６２】
表示部３１は長方形の大型の液晶ディスプレイなどで構成される。操作入力部３２は、表示部３１の画面上に設けられ、画面上での指やペンなどのタッチ位置（接触位置）を検出するタッチパネルのほか、各種の操作スイッチで構成される。操作入力部３２はタッチパネルや各種の操作スイッチからユーザの電子会議システム５に対する各種設定操作などを受け付ける。なお、該タッチパネルにて直接、手書き入力を受け付けることも可能である。
【００６３】
通信部３３は、無線通信により携帯端末１０やネットワークに接続された機器などと通信する機能を果たす。たとえば、携帯端末１０から送信されてくるオブジェクトや追加表示の指示を受信したりする。
【００６４】
ユーザ位置検知部３４は、表示部３１の前方におけるユーザの位置を検出する。たとえば、赤外線センサ等によってユーザの位置を求める。検出方法は他の方法でもよい。
【００６５】
外部メモリ接続部３５には、ＳＤ（Secure Digital）メモリカードなどが着脱可能に接続される。装着されたＳＤメモリカードには、たとえば、受信したオブジェクトなどが保存される。
【００６６】
制御部３７のＦｌａｓｈＲＯＭ３９は、電源をオフにしてもその記憶内容が保持される書き換え可能なメモリである。ＦｌａｓｈＲＯＭ３９には、各種プログラムやデータが格納され、ＣＰＵ３８がこれらのプログラムに従って各種の処理を実行することで共有表示装置３０として各機能が実現される。また、共有表示装置３０に対して設定された各種の設定値なども記憶される。
【００６７】
メモリ４０はＣＰＵ３８がプログラムを実行する際に各種のデータを一時的に格納するワークメモリや表示データを一時記憶するメモリとして使用される。また、メモリ４０には、オブジェクトの追加状況の履歴が格納される。該履歴は、たとえば直近の過去の所定時間においてオブジェクトが追加された数や、所定のタイミングからの経過時間などを含み、ＣＰＵ３８はこれらの情報に基づいて、作成する余白の量を決定する。
【００６８】
図３は、携帯端末１０の構成を示すブロック図である。携帯端末１０は、表示部１１と、操作入力部１２と、通信部１３と、外部メモリ接続部１５とを制御部１６に接続して構成される。携帯端末１０の動作を統括制御する制御部１６は、ＣＰＵ１７、ＦｌａｓｈＲＯＭ１８、メモリ１９などを主要部として構成される。
【００６９】
表示部１１は長方形の液晶ディスプレイなどで構成される。操作入力部１２は、表示部１１の画面上に設けられ、画面上での指やペンなどのタッチ位置（接触位置）を検出するタッチパネルのほか、各種の操作スイッチで構成される。操作入力部１２はタッチパネルからユーザの手書きによる文字、図形などの入力を受ける。
【００７０】
通信部１３は、無線通信により共有表示装置３０やネットワークに接続された他の機器と通信する機能を果たす。たとえば、通信部１３を通じて携帯端末１０から共有表示装置３０へオブジェクト、および該オブジェクトを画面に追加して表示する指示を送信する。
【００７１】
制御部１６のＦｌａｓｈＲＯＭ１８は、電源をオフにしてもその記憶内容が保持される書き換え可能なメモリである。ＦｌａｓｈＲＯＭ１８には、各種プログラムやデータが格納され、ＣＰＵ１７がこれらのプログラムに従って各種の処理を実行することで携帯端末１０として各機能が実現される。また、携帯端末１０に対して設定された各種の設定値なども記憶される。メモリ１９はＣＰＵ１７がプログラムを実行する際に各種のデータを一時的に格納するワークメモリや表示データを一時記憶するメモリとして使用される。
【００７２】
外部メモリ接続部１５には、ＳＤメモリカードなどが着脱可能に接続される。装着されたＳＤメモリカードには、たとえば、手書きメモなどによって作成されたオブジェクトや画像関連のデータなどが保存される。
【００７３】
次に、会議中に、共有表示装置３０に表示されるオブジェクトが追加される頻度の変化について説明する。図４は、経過時間と追加されたオブジェクトの数の一例をグラフで示す。このグラフによると、オブジェクトが追加される頻度には偏りがあり、所定時間の間に多くのオブジェクトが追加される時期（図中、破線で囲まれた部分）と、ほとんど追加されない時期（図中、実線で囲まれた部分）がある。追加量の多い時期には、それだけ多くの余白が必要になる。
【００７４】
そこで、共有表示装置３０は、オブジェクトの追加状況の履歴に応じて作成する余白の量を変更する。たとえば、直近の所定時間におけるオブジェクトの追加数や、オブジェクトの増加率、所定のタイミングからの経過時間などに基づいて作成する余白の量を決定する。
【００７５】
直近の所定時間におけるオブジェクトの追加数で、作成する余白の量を決定する場合、追加数が多ければ、その分だけ広域な余白を作成し、オブジェクトの追加数が少なければ、その分だけ狭域な余白を作成する。余白を作成した後、その前の直近の所定時間と同じペースでオブジェクトが追加されるならば、作成される余白は適正量となる。会議の開始時（たとえば、最初のオブジェクトが追加された時点）や、オブジェクトが一定数追加された時などのような所定のタイミングからの経過時間によって作成する余白の量を決定する場合、一般に、会議においては終盤になるほど新たなアイデアが出難くなるので、時間が経過するほど、作成する余白の量を少なくしたりする。オブジェクトの増加率が次第に上がっているときは、このさきさらに増えると予測して余白の作成量を増加し、次第に減りつつあるときは、このさきもっと減ると予測して余白の作成量を減少するようにしてもよい。
【００７６】
次に余白の作成方法について説明する。共有表示装置３０は、オブジェクトのサイズ、もしくは配置の少なくとも一方を変更して余白を作成する。オブジェクトのサイズを変更して余白を作成する場合は、オブジェクトの縮小率を変更することで余白の量を変更する。
【００７７】
図５は、共有表示装置３０が、直近の所定時間におけるオブジェクトの追加数に応じて、表示中のオブジェクトのサイズを変更する様子を示す。
【００７８】
共有表示装置３０は、直近の所定時間におけるオブジェクトの追加数に応じてオブジェクトの縮小率（図中では縮小率Ｘと示す）を変動させる。追加数が少ない場合は、オブジェクトの縮小率Ｘを小さくする。追加数が多い場合は、オブジェクトの縮小率Ｘを大きくする。オブジェクトの縮小後、その前の直近の所定時間と同じペース（追加頻度）で新たなオブジェクトが追加されれば、該縮小によって作成された余白の量は適正量となる。
【００７９】
なお、表示中のオブジェクトを縮小する際には、該オブジェクトを画面の中央部分や、左上隅など適宜の箇所に寄せるようにして縮小する。図６は、オブジェクトを縮小して画面の左上隅に寄せた場合、およびオブジェクトを縮小して画面の中央に寄せた場合を示す。いずれの箇所に寄せるかは、たとえば、ユーザ位置検知部３４が検知したユーザの位置情報に基づいて決定したり、画面内においてオブジェクトが頻繁に貼り付けられる領域に余白が作成されるように決定したりする。また、予め、寄せる箇所が設定されていてもよい。
【００８０】
なお、オブジェクトを縮小する場合、大幅な縮小によるオブジェクトの視認性の著しい低下を防ぐために、縮小率を所定の上限値以内（たとえば縮小率５０％など）に制限してもよい。また、オブジェクトの視認性を確保する為に、縮小前に面積が所定値を下回るオブジェクトについては、これ以上の縮小を行わないように制限してもよい。
【００８１】
共有表示装置３０は、オブジェクトの配置を変更して余白を作成（確保）する場合は、オブジェクト同士の間隔を詰めたり、オブジェクト同士を重ねたりすることで余白の量を変更する。図７は、共有表示装置３０が、直近の所定時間におけるオブジェクトの追加数に応じて、表示中のオブジェクトの配置を変更する様子を示す。
【００８２】
所定時間内におけるオブジェクトの追加数が少ない場合は、オブジェクト同士の間隔を少しだけ詰める。追加数が多い場合は、オブジェクト同士の間隔を大きく詰める。作成予定の余白の量によっては、オブジェクト同士を重ねることで、その余白を確保する。
【００８３】
オブジェクト同士を重ねる場合は、オブジェクト同士の重なり率を、所定の上限値以内（たとえば重なり率２０％など）に制限し、各オブジェクトの視認性を確保する。また、オブジェクト同士を重ねる場合、たとえば、文字の周りの余白部分のみを重ねるなど、オブジェクトの主要な内容を示す部分には重ならないようにしてもよい。
【００８４】
なお、オブジェクト同士のおおまかな相対位置関係（上下左右などの位置関係）を変化させることなく間隔を詰めてもよいし、オブジェクトを並べ直して間隔を詰めてもよい。また、間隔を詰めたオブジェクトを図６のように左上隅や中央など、所定の箇所に寄せてもよい。
【００８５】
このように共有表示装置３０は、表示中のオブジェクトのサイズ、もしくは配置を変更することで余白を作成する。いずれの変更を行うかについては予めユーザから設定されているものとする。
【００８６】
なお、余白の作成は、画面を複数に領域分けしておき、該領域別に行ってもよい。図８は、画面を複数の領域に分けて使用する場合の例を示す。
【００８７】
図８では、画面を左右の２領域（左半領域Ｌａと右半領域Ｒａ）に分け、左半領域Ｌａに第１のテーマについてのオブジェクトが、右半領域Ｒａに第２のテーマについてのオブジェクトが貼り付けられている。図８では、左半領域Ｌａで余白が少なくなった場合に、右半領域Ｒａに十分な余白が残っていても、左半領域Ｌａの中で余白の作成を行っている。これにより、画面内の各領域において、オブジェクトを追加する為の余白が確保される。
【００８８】
次に、具体的な表示例に基づいて、表示中のオブジェクトに係る情報の管理方法について説明する。図９は、共有表示装置３０が表示部３１に表示する画面の一例を示す。図９（a）は、時刻が９時０分３０秒の時点での画面を、図９（b）は、時刻が９時１分０秒の時点での画面を示す。
【００８９】
図９では、表示部３１に３つのオブジェクト（オブジェクトＡ、オブジェクトＢ、オブジェクトＣ）が表示されている。そして、図９（b）は、図９（a）の各オブジェクトが縮小された状態である。
【００９０】
表示中の各オブジェクトに係る情報は、単位オブジェクト管理表７１（図１０参照）に登録して管理される。単位オブジェクト管理表７１はメモリ４０などに記憶される。図１０は、図９において表示部３１に表示されている各オブジェクトに係る情報が登録された単位オブジェクト管理表７１を示す。単位オブジェクト管理表７１はオブジェクト毎に設けられ、対象となるオブジェクトに係る履歴等が登録されている。
【００９１】
図１０（Ａ）は、オブジェクトＡに係る単位オブジェクト管理表７１を、図１０（Ｂ）は、オブジェクトＢに係る単位オブジェクト管理表７１を、図１０（Ｃ）は、オブジェクトＣに係る単位オブジェクト管理表７１を示す。図中では、対象のオブジェクトにおいて、変化があった時刻（たとえば、貼り付けられた時刻や、縮小、移動等があった時刻）と、その時刻における画面内でのオブジェクトの位置（オブジェクトの中心の位置座標）と、オブジェクトのサイズ（縦×横）などが対応付けされて履歴として登録されている。
【００９２】
図１０によると、時刻が９時０分０秒にオブジェクトＡが貼り付けられ、９時０分２０秒にオブジェクトＢが貼り付けられ、９時０分３０秒にオブジェクトＣが貼り付けられ、９時１分０秒に３つのオブジェクトが縮小されている。
【００９３】
また、共有表示装置３０は、表示中の全オブジェクトの総括情報を全オブジェクト管理表７２（図１１参照）に登録して管理する。全オブジェクト管理表７２はメモリ４０などに記憶される。図１１は、図９のオブジェクトＡが貼り付けられてから、図９（Ｂ）の状態になるまでの間における総括情報が登録された全オブジェクト管理表７２を示す。
【００９４】
全オブジェクト管理表７２には、９時０分０秒から２０秒ずつ経過した各時点における、表示中のオブジェクトの総数、オブジェクトの追加頻度（個/min）、表示中のオブジェクトの総面積、表示中のオブジェクトの平均面積が登録されている。オブジェクトの追加頻度は、直近の２０秒間に追加されたオブジェクト数に基づいて求めた、１分間にオブジェクトが追加される頻度である。
【００９５】
全オブジェクト管理表７２によると、９時０分２０秒の時点では、２つのオブジェクトが表示されている。９時０分００秒から、２０秒の間に追加されたオブジェクト数は２つなので、追加頻度（個/min）は２×６０/２０=６となる。
【００９６】
９時０分４０秒の時点では、３つのオブジェクトが表示されている。９時０分２０秒から、２０秒の間に、１つのオブジェクトが追加されたので、追加頻度（個/min）は１×６０/２０=３となる。３つのオブジェクトの総面積は３０ｃｍ２であり、平均面積は１０ｃｍ２となっている。
【００９７】
９時１分０秒の時点でも、３つのオブジェクトが表示されている。９時０分４０秒から、２０秒の間に、オブジェクトが追加されていないので追加頻度（個/min）は０となる。３つのオブジェクトの総面積は１４．７ｃｍ2であり、平均面積は４．９ｃｍ2となっている。ここでは、オブジェクトの縮小が行われている。
【００９８】
この他、全オブジェクト管理表７２には、図１１では記載していないが、ユーザの位置に係る情報や、画面内においてオブジェクトの追加頻度が高い領域の情報などが登録されており、共有表示装置３０は、これらの情報に基づいて図６での左上隅や中央などのように、オブジェクトを寄せる箇所を決定する。
【００９９】
なお、図１１の全オブジェクト管理表７２では２０秒ずつ経過した各時点における、オブジェクトの情報が登録されているが、５分や１０分など、より長い間隔で時間が経過した時点における情報が登録されていてもよい。
【０１００】
次に、余白を作成するタイミングについて説明する。共有表示装置３０が余白の作成を行うタイミングは、画面内におけるオブジェクトの占有率が所定の閾値を越えたとき、および、ユーザから余白の作成指示を受けたときである。該作成指示は、余白の作成を開始する指示であり、どの程度の量の余白を作成するかは共有表示装置３０が自動的に判断する。
【０１０１】
共有表示装置３０は、以下の式によりオブジェクトの占有率を算出する。
・全オブジェクト管理表７２の示すオブジェクトの総面積/画面の面積＝オブジェクトの占有率
そして、所定の閾値（たとえば占有率７５％）を越えたら、余白を自動で作成する。
【０１０２】
次に、共有表示装置３０が、画面内におけるオブジェクトの占有率が閾値を越えたときと、ユーザから余白の作成指示を受けたときに実行する処理について説明する。
【０１０３】
図１２は、画面内のオブジェクトの占有率が所定の閾値を超えたときに余白を作成する処理を示す。この処理は、所定時間毎に（たとえば、全オブジェクト管理表７２が更新される周期で）繰り返し実行される。図１２では、まず、ＣＰＵ３８が表示中の各オブジェクトに係る単位オブジェクト管理表７１と、全オブジェクト管理表７２をメモリ４０から読み出し（ステップＳ００１）、画面上での各オブジェクトのサイズ、および配置情報等を認識する（ステップＳ００２）。
【０１０４】
次に、画面内でのオブジェクトの占有率を算出し、該占有率が所定の閾値を越えているか否かを調べる（ステップＳ００３）。占有率が所定の閾値以下であれば、（ステップＳ００３；Ｎｏ）、本処理を終了する。
【０１０５】
画面内でのオブジェクトの占有率が所定の閾値を越えている場合は（ステップＳ００３；Ｙｅｓ）、余白を作成するためのパラメータ（余白作成パラメータと呼ぶ）を作成する（ステップＳ００４）。余白作成パラメータは、オブジェクトのサイズや配置を変更する際の変更内容を示す。余白作成パラメータの作成処理は後述する。
【０１０６】
次に、ユーザから操作を受けているか否かを調べる（ステップＳ００５）。ユーザが操作中に余白を作成すると、画面内の内容が変更されることになり、ユーザによる操作などが中断される場合がある。たとえば、ドラッグなどの操作でオブジェクトを移動させる指示を受けている最中に余白の作成により画面内の内容が変更されると、ユーザの操作が中断されてしまう。そこで、共有表示装置３０は、画面内のオブジェクトに対してユーザから何らかの操作を受けている間は（ステップＳ００５；Ｙｅｓ）、余白を作成する動作は行わない。具体的には、ユーザから操作を受けている場合は、一定期間が経過するまで待って（ステップＳ００６）、ステップＳ００５に戻る。
【０１０７】
画面内のオブジェクトに対する何らかの操作をユーザから受けていなければ（ステップＳ００５；Ｎｏ）、余白作成パラメータに従って余白の作成処理を実行し（ステップＳ００７）、本処理を終了する。
【０１０８】
図１３はユーザから受けた指示に応じて余白を作成する処理を示す。まず、ユーザから余白の作成指示を受ける（ステップＳ１０１）。次に、余白作成パラメータを作成する（ステップＳ１０２）。
【０１０９】
その後、余白作成パラメータに従って余白の作成処理を行い（ステップＳ１０３）、本処理を終了する。ステップＳ１０２、ステップＳ１０３の処理は図１２のステップＳ００４、ステップＳ００７と同じ処理である。
【０１１０】
次に、余白作成パラメータについて説明する。余白作成パラメータは、オブジェクトの縮小率や画面内におけるオブジェクトの移動情報を含む。
【０１１１】
本発明の実施の形態では、余白作成パラメータを作成する場合、まず作成予定の余白の量（面積）を以下の式で算出する。
作成予定面積＝[時間定数Ａ]×[オブジェクト追加頻度]×[オブジェクトの平均面積]
オブジェクトの追加頻度とオブジェクトの平均面積の値は、全オブジェクト管理表７２の数値を参照する。時間定数Ａは、次に余白の作成を要するまでの時間の目標値である。この値は、たとえば、管理者やユーザによって予め設定されたり、過去の余白作成の履歴から設定されたりする。また、会議開始時から今回の余白作成までの経過時間や会議の残り時間などを考慮に入れて時間定数Ａの値を決定してもよい。
【０１１２】
作成予定の余白の面積が決定したら、オブジェクトの縮小率である縮小率αを以下の式によって算出する。
・縮小率α＝[定数Ｂ]×[画面の全体面積―作成予定の余白面積]/[画面内にてオブジェクトが占有する面積]
画面内にてオブジェクトが占有する面積は、全オブジェクト管理表７２におけるオブジェクトの総面積の値を参照する。
【０１１３】
定数Ｂは、所定のタイミングからの経過時間によって決定する数値である。実施の形態では、画面に最初のオブジェクト（第１オブジェクトと呼ぶ。）が追加された時を、所定のタイミングとする。図１４は、該経過時間によって決定する定数Ｂの値を示すテーブル７０を示す。テーブル７０によると、第１オブジェクトを画面に貼り付けてから３０分までは定数Ｂ＝１．２×定数Ｄとなり、３０分以後は定数Ｂ＝０．８×定数Ｄとなる。すなわち、画面に最初のオブジェクトが貼り付けられてから、３０分以後は、３０分より前と比べて縮小率の値が小さくなる。定数Ｄは、管理者やユーザによって予め設定された値でもよいし、会議の予定時間などに対して増減する変数であってもよい。
【０１１４】
オブジェクトの移動情報は、画面内において、各オブジェクトをいずれの方向に、どの程度移動させるかを示す情報である。共有表示装置３０は、移動情報に従って、たとえば、図６のように表示中のオブジェクトを寄せる制御や、図７のようにオブジェクト同士の間隔を詰める制御を行う。
【０１１５】
オブジェクト同士の間隔を詰めて、作成予定の量の余白が確保されるならば、間隔を詰めればよく、間隔を詰めるだけでは作成予定の量の余白を確保できない場合や、すでに間隔がなくて間隔を詰めることができないような場合は、オブジェクト同士を少しずつ重ねて余白を作成する。ただし、各オブジェクトの視認性を確保するため、オブジェクト同士を重ねる場合は、その重なり率を所定の上限値以内（たとえば重なり率２０％など）に制限する。
【０１１６】
オブジェクトをいずれの方向に移動させるかについては、たとえば、画面内において、共有表示装置３０からユーザ位置検知部３４が検知したユーザの前に新たな余白が作成されるように、オブジェクトを寄せる方向を決定したり、画面内においてオブジェクトが頻繁に貼り付けられる領域に余白が作成されるように決定したりする。
【０１１７】
次に、余白作成パラメータの作成処理について説明する。図１５は、余白作成パラメータを作成する処理を示す。まず第１オブジェクトを画面に貼り付けてからの経過時間を基に定数Ｂを算出する（ステップＳ２０１）。次に、前述した計算式を使用して、作成予定の余白面積を求め、さらに縮小率αを算出する（ステップＳ２０２）。
【０１１８】
次に、ユーザの位置に係る情報、もしくは画面内においてオブジェクトの追加頻度が高い領域の情報を取得する（ステップＳ２０３）。そして、ステップＳ２０３で取得した情報に基づいて、余白作成に伴ってオブジェクトを移動させる場合の、各オブジェクトの移動方向と移動量（移動ベクトル）を算出し（ステップＳ２０４）本処理を終了する。ここでは、ユーザの前に新たな余白が作成されるように、もしくはオブジェクトの追加頻度が高い領域に新たな余白が作成されるように、オブジェクトを移動させる方向と移動量を決定する。
【０１１９】
次に、オブジェクトごとに縮小率を変更する場合について説明する。オブジェクトのサイズにバラつきがある場合、全てのオブジェクトを同じ縮小率で縮小すると、オブジェクトごとに視認性に差が生じる。そこで、共有表示装置３０は、表示中のオブジェクトの平均面積より一定以上大きいオブジェクトは、他のオブジェクトの縮小率αより大きい縮小率βにて縮小する。これにより、縮小後におけるオブジェクトのサイズのバラつきを抑え、サイズの小さなオブジェクトの視認性を確保する。
【０１２０】
所定の面積以上のオブジェクトを、大幅に縮小する構成の場合、画面内の全てのオブジェクトが大きければ、その全てが大幅に縮小されてしまうが、共有表示装置３０は、平均面積よりも一定以上大きなオブジェクトのみ縮小率βで縮小するので、オブジェクトのサイズのバラつきを抑えることができる。
【０１２１】
図１６は、縮小率αと縮小率βの両方を求める場合の余白作成パラメータの作成処理を示す。まず第１オブジェクトを画面に貼り付けてからの経過時間を基に定数Ｂを算出する（ステップＳ３０１）。次に、前述の計算式を使用して、作成予定の余白面積を求め、さらに縮小率αを算出する（ステップＳ３０２）。
【０１２２】
表示中のオブジェクトの中に、平均面積よりも一定以上面積の大きいオブジェクトが無ければ（ステップＳ３０３；Ｎｏ）ステップＳ３０５に進む。平均面積よりも一定以上面積の大きいオブジェクトがあれば（ステップＳ３０３；Ｙｅｓ）縮小率βを求める（ステップＳ３０４）。縮小率βは、以下の式によって算出する。
・縮小率β＝縮小率α×（縮小率βの対象となるオブジェクトの面積）/（オブジェクトの平均面積）
【０１２３】
その後、ユーザの位置に係る情報、もしくは画面内においてオブジェクトの追加頻度が高い領域の情報を取得する（ステップＳ３０５）。そして、ステップＳ３０５で取得した情報に基づいて、余白作成に伴ってオブジェクトを移動させる場合の、各オブジェクトの移動方向と移動量（移動ベクトル）を算出し（ステップＳ３０７）本処理を終了する。
【０１２４】
図１７は、図１２のステップＳ００７、もしくは図１３のステップＳ１０３にて行う、余白作成パラメータに従って余白を作成する処理を示す。まず、余白作成パラメータを参照し、縮小率αで縮小対象となるオブジェクトを縮小する（ステップＳ４０１）。
【０１２５】
縮小率βを算出していなければ（ステップＳ４０２；Ｎｏ）、ステップＳ４０４に進む。縮小率βを算出済みであれば（ステップＳ４０２；Ｙｅｓ）、縮小率βで縮小対象となるオブジェクトを縮小する（ステップＳ４０３）。
【０１２６】
その後、移動ベクトルに従って、画面内の各オブジェクトを移動させ（ステップＳ４０４）、本処理を終了する。
【０１２７】
このように、共有表示装置３０は、携帯端末１０から受信したオブジェクトを、表示部３１に表示中の画面に追加して表示する。そして、該画面内におけるオブジェクトの占有率が所定値以上になった場合、もしくはユーザから余白の作成を開始する指示を受けた場合に、表示中のオブジェクトのサイズもしくは配置の少なくとも一方を変更して、該画面内に余白を確保する。余白の量は、オブジェクトの追加状況の履歴に基づいて自動的に決定される。これにより、オブジェクトが追加表示される画面内に、オブジェクトの追加状況に応じた適正量の余白を確保することができる。
【０１２８】
余白を作成する場合、たとえば、直近の過去の所定時間において追加されたオブジェクトの数（オブジェクトの追加頻度）や、所定のタイミングからの経過時間などによって、作成する余白の量を決定し、この余白の量が確保されるようにオブジェクトの縮小率や、オブジェクト同士の間隔等を決定する。たとえば、会議の終了近くでオブジェクトの提出頻度が低下している状況で余白が不足した場合には、少量の余白が作成されるので、既に表示されているオブジェクトが必要以上に縮小されて見難くなるといった弊害が生じない。
【０１２９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３０】
本発明の実施の形態では、共有表示装置３０を例に説明したが、共有表示装置３０から、制御部３７と通信部３３とを抜き出して、所定の表示装置にオブジェクトを表示させる表示制御装置として構成されてもよい。また、所定の情報処理装置を共有表示装置３０や表示制御装置として機能させるプログラムであってもよい。
【０１３１】
本発明の実施の形態では、携帯端末１０からオブジェクトとともに、該オブジェクトの追加表示指示を送信していたが、共有表示装置３０に保存されているオブジェクトを携帯端末１０からの指示で共有表示装置３０に表示させてもよい。この場合、共有表示装置３０の画面に新たに追加して表示させるオブジェクトを指定した追加表示の指示を携帯端末１０から共有表示装置３０に送信すればよい。
【０１３２】
本発明の実施の形態では、オブジェクトのサイズ、およびオブジェクトの配置のいずれか一方を選択的に変更して余白を作成していたが、両方を変更して余白を作成してもよい。
【０１３３】
なお、オブジェクトの追加状況の履歴から以後に必要な余白の量を決定する手法は、実施の形態に例示したものに限定されない。
【０１３４】
実施の形態では、縮小率を求める場合に、定数Ｂを乗じるようにしたが、定数Ｂを用いなくてもよい。すなわち、所定のタイミングからの経過時間を考慮せずに縮小率（換言すれば、作成する余白の量）を決定してもよい。また、その逆に、オブジェクトの追加頻度を考慮せずに、所定のタイミングからの経過時間に基づいて、作成する余白の量を決定してもよい。たとえば、会議の開始から３０分までは、高縮小率（たとえば、５０％）とし、３０分以後は低縮小率（たとえば、２０％）にするといったものでもよい。所定のタイミングからの経過時間と縮小率との関係は、管理者やユーザが適宜の値に設定してもよいし、たとえば、過去に行われた会議でのオブジェクトの追加状況の履歴から学習して適切な値を自動的に決定するように構成してもよい。
【符号の説明】
【０１３５】
５…電子会議システム
１０…携帯端末
１１…表示部
１２…操作入力部
１３…通信部
１５…外部メモリ接続部
１６…制御部
１７…ＣＰＵ
１８…ＦｌａｓｈＲＯＭ
１９…メモリ
３０…共有表示装置
３１…表示部
３２…操作入力部
３３…通信部
３４…ユーザ位置検知部
３５…外部メモリ接続部
３７…制御部
３８…ＣＰＵ
３９…ＦｌａｓｈＲＯＭ
４０…メモリ
７０…テーブル
７１…単位オブジェクト管理表
７２…全オブジェクト管理表
Ａ…オブジェクト
Ｂ…オブジェクト
Ｃ…オブジェクト
Ｌａ…左半領域
Ｒａ…右半領域
【図１】
2015097054.tif 000003
【図１０】
2015097054.tif 000004
【図１１】
2015097054.tif 000005
【図１２】
2015097054.tif 000006
【図１３】
2015097054.tif 000007
【図１４】
2015097054.tif 000008
【図１５】
2015097054.tif 000009
【図１６】
2015097054.tif 000010
【図１７】
2015097054.tif 000011
【図２】
2015097054.tif 000012
【図３】
2015097054.tif 000013
【図４】
2015097054.tif 000014
【図５】
2015097054.tif 000015
【図６】
2015097054.tif 000016
【図７】
2015097054.tif 000017
【図８】
2015097054.tif 000018
【図９】
2015097054.tif 000019
【図１８】
2015097054.tif 000020
【図１９】
2015097054.tif 000021